(57)【要約】  提供されるのは、腹部の重量を有する哺乳類のために腰部および／または腹部支持を提供するために使用され得る調整可能、モジュール式腰部支持デバイスである。非限定的な例示的実施形態によると、本明細書において提供される支持および装具デバイスは、妊婦が、女性の妊娠期間にわたる様々な段階で、および／または産後に着用することができるとともに、妊娠期間にわたって変化する女性の生体構造に自然に形を合せる／従うように調整され得る。本明細書においてさらに提供されるのは、哺乳類における背部痛を防ぐおよび／または低減するための方法であって、腰部支持体を哺乳類へ指示通りに付けることを含む方法である。さらに提供されるのは、本明細書において提供された少なくとも１つの腰部支持デバイスを含むキットであって、このキットは腰部支持デバイスを適切に付けるおよび／または調整するための説明書を任意選択的に含み得る。
2018501937.tif 000002
【特許請求の範囲】
【請求項１】
腰部支持デバイスであって、
少なくとも２つの翼状部であって、前記翼状部がユーザの腹部を横切って互いに締結することを可能にする翼状部締結具を有する少なくとも２つの翼状部と、
弾性コルセットアセンブリにより互いに接続された少なくとも２つのアームであって、前記アームが前記翼状部におけるスリットから出、前記アームが、前記アームが前記ユーザの前記腹部を横切って、前記腹部の上で、または下で互いに締結することを可能にするためにアーム締結具を有する、２つのアームと
を含む、腰部支持デバイス。
【請求項２】
前記翼状部締結具がフックアンドループファスナーである、請求項１に記載の腰部支持デバイス。
【請求項３】
前記アーム締結具がフックアンドループファスナーである、請求項１に記載の腰部支持デバイス。
【請求項４】
前記デバイスへの少なくとも１つの詰め物入りパネルの取付けのために構成された少なくとも１つのパネル締結具をさらに含む、請求項１に記載の腰部支持デバイス。
【請求項５】
パネル締結具がフックまたはループ部分を含む、請求項４に記載の腰部支持デバイス。
【請求項６】
前方パネル、後方パネル、および冠状パネルから選択された少なくとも１つの着脱可能な詰め物入りパネルをさらに含む、請求項１に記載の腰部支持デバイス。
【請求項７】
前記少なくとも１つの着脱可能な詰め物入りパネルが、少なくとも１つのパネル締結具により前記デバイスへ取り付けられる、請求項６に記載の腰部支持デバイス。
【請求項８】
少なくとも１つのパネルであって、前記パネルを前記デバイス上で摺動させることにより請求項１に記載のデバイスへ取り付けるために、開口部を備えて構成された少なくとも１つのパネルをさらに含む、請求項１に記載の腰部支持デバイス。
【請求項９】
前記腰部支持体がＬ０６２７、Ｌ０６３１および／またはＬ０６３７米国装具コードに適合する、請求項１に記載の腰部支持デバイス。
【請求項１０】
前記前方パネルが、翼状部付きアームと実際の装具自体との間のフックアンドループファスナー取付具を介して翼状部付きアームへ締結される、請求項６に記載の腰部支持デバイス。
【請求項１１】
前記前方パネルが、ユーザが快適さという点で所望の領域に位置付けることができるように、前記支持体の下にフックアンドループ取付具で配置されるように構成される、請求項６に記載の腰部支持デバイス。
【請求項１２】
母体のバイタルサイン、胎児のバイタルサイン、時間、および距離からなる群から選択された１つまたは複数の形態のデータを測定、計算および／または監視することが可能な電子部品をさらに含む、請求項１に記載の腰部支持デバイス。
【請求項１３】
キットであって、
（１）請求項１に記載の腰部支持デバイスと、
（２）前記腰部支持デバイスの使用説明書と
を含むキット。
【請求項１４】
前方、後方、および冠状パネルからなる群から選択された少なくとも１つの着脱可能な詰め物入りパネルをさらに含む、請求項１３に記載のキット。
【請求項１５】
前記着脱可能な詰め物入りパネルが、前記装具を、Ｌ０６２７、Ｌ０６３１および／またはＬ０６３７米国装具コードに適合可能にするパネルから選択される、請求項１３に記載のキット。
【請求項１６】
前記説明書が、前記デバイスを人へ適切に付けること、位置付けること、および調整することに関する説明書を含む、請求項１３に記載のキット。
【請求項１７】
請求項１に記載の腰部支持デバイスを人へ付けることと、前記翼状部を互いに締結し、前記アームを互いに締結することにより前記デバイスを前記人へ固定することとを含む、人における背部痛を防ぐまたは治療する方法。
【請求項１８】
前記デバイスが付けられた人に対する前記締結されたアーム位置が可変であるように、前記デバイスが構成される、請求項１７に記載の方法。
【請求項１９】
前記アームが、前記締結された翼状部の上にあるように、互いに締結されるように、前記アームが前記人に対して位置付けられる、請求項１８に記載の方法。
【請求項２０】
前記アームが、前記上腹部上にあるように、互いに締結されるように、前記アームが前記人に対して位置付けられる、請求項１９に記載の方法。
【発明の詳細な説明】
【技術分野】
【０００１】
関連出願の相互参照
この出願は、２０１５年１月１２日に出願された米国仮特許出願第６２／１０２，５６８号明細書の利益を主張し、この仮特許出願はその全体が本明細書において参照によりここに組み込まれる。
【背景技術】
【０００２】
本発明の実施形態は概して、腰部支持デバイスと、例えば妊娠または他の腹部の重量を原因とする、ある人における背部痛および／または当該人における低下した体幹強度を治療するおよび／または防ぐ方法とに関する。さらに提供されるのは、そのようなデバイスの使用方法と、そのような腰部支持デバイスを含むキットである。
【発明の概要】
【発明が解決しようとする課題】
【０００３】
背部痛は妊娠期間中の一般的な症状である。典型的には、女性の身体は、１５〜４０ポンド体重が増える。妊娠により身体のホルモンが変動し、身体全体にわたって多くの生理的変化をもたらす。妊娠期間中に著しく変動する重要なホルモンは、エストロゲン、プロゲステロンおよびレラキシンである。エストロゲンおよびプロゲステロンの両方の変動は、女性が妊娠するため、および、妊娠中の母親が出産日まで赤ちゃんを身ごもっているために必要である。妊娠中、高いプロゲステロン値は、赤ちゃんにとって健康な体内環境を維持する機能を果たす。しかしながら、妊娠期間中にプロゲステロンおよびレラキシンレベルが上昇するにつれて、身体全体の関節、靭帯、腱および組織が緩んで伸びる。
【０００４】
関節および靭帯が緩むと、腰背部はより曲がり易くなり、妊娠期間全体にわたって過剰な「腹部の重量」を補償するために身体は脊柱アライメントを必然的に変化させる。しかしながら、追加された「腹部の重量」は、骨盤下部の前に重い物体を持っているようなものである。
【０００５】
妊娠期間中の人体のように、不規則かつ変化する形状を有する物体において、重心は妊娠の異なる段階を通じて変化する。典型的には、通常の健康で立っている個人において、重心は、腰部脊柱と仙骨との関節部の後ろ約１ｃｍのところに位置する。しかしながら、妊娠中は、過剰な「腹部の重量」が重心を前へ数インチシフトさせる。
【０００６】
妊娠中のこの追加された重量は重心を変え、したがって、人の身体は、脊柱前湾と呼ばれる自身の腰背部の自然湾曲の増大により補償する。身体の重心は、重力により下向きの力がかかる単一のポイントである。人が釣り合いをとり倒れずに立つために、人の重心は、自身の異なる筋肉群（特に体幹の筋肉）を連係させるとともに使用することにより釣り合いが取られなければならない。脊柱前湾は、脊柱の後湾であり、重心における変化の釣り合いをとるのを助ける。
【０００７】
妊娠中、増加した「腹部」の重量、脊柱の曲がり易さの増大、重心の変化、および変更された腰部脊柱前湾の組合せが繊細な均衡を作り出す。腰部脊柱へのストレスを緩めることを生じさせるいずれの追加的な行動または姿勢の変化も、均衡のアンバランスの原因となり得る。最終的に、これらの変化の全ておよびこの不均衡が筋肉疲労を生じさせる。この筋肉疲労は、妊娠に関連する背部痛の一般的な原因であるとともに、治療されない場合、より深刻な脊柱疾患へ発展する可能性がある。健康であっても、女性の腰背部痛は、全妊婦の５０〜８０パーセントに影響を及ぼすつらい現実である。
【０００８】
妊娠および出産の結果生じる別のことは、切開（帝王切開の場合）または（経膣分娩における）下腹部筋の伸びが、体幹の筋肉を弱め、これが同様に産後に背部痛の原因となることである。
【０００９】
背部痛の典型的な治療は、抗炎症薬および他の薬剤／治療薬の投与を含むが、しかしながらそのような薬剤は、赤ちゃんへの有害な影響を回避するために妊娠中は避けられなければならない。背部痛を有する妊娠していない人もまた、抗炎症薬および／または他の薬剤または利用可能な治療薬を使用することができないか、使用することを選択できない場合がある。
【課題を解決するための手段】
【００１０】
本明細書において提供されるのは、腰部支持を提供するために使用され得る調整可能、モジュール式、腰部支持デバイスである。本発明の支持デバイスは、脊柱にかかるストレスを減少させ、日常生活の行動中の姿勢／アライメントを改善するのに有効である。
【００１１】
非限定的な例示的実施形態によると、本明細書において提供される支持および装具デバイスは、（女性の生体構造は妊娠期間全体にわたって変化するにもかかわらず）女性の妊娠期間の全体にわたって妊産婦用装具として使用され得る。妊産婦用装具として使用される場合、本発明のデバイスは、調整可能かつモジュール式であり、過張力を防止するための安全機構を中に有していることから、在胎中支持のために妊娠中、および／または産後（産後支持）の両方のために使用されてもよい。本発明のデバイスはまた、腹部の過剰な重量を有する人または腹水を有する人などのための腰部支持装具として使用され得る。
【００１２】
装具は、少なくとも、着脱可能な、詰め物入りであるが剛性の、前方および後方パネルを包含するという点で、モジュール式である。
【００１３】
本明細書においてさらに提供されるのは、人における背部痛を防ぐおよび／または低減させる方法であって、人が本明細書において提供される腰部支持デバイスを自身の背中に付けることと、デバイスを自身の腹部の周りに固定することとを含む方法である。
【００１４】
さらに提供されるのは、本明細書において提供された少なくとも１つの腰部支持デバイスを含むキットであって、このキットは任意選択的に、腰部支持デバイスの適切な取付けおよび／または調整のための説明書を含んでもよい。キットはまた、例えば産後または他の妊娠以外の使用のために、例えば、１つまたは複数の着脱可能な詰め物入りパネルを含んでもよい。
【００１５】
さらに提供されるのは、１つまたは複数の母体および／または胎児のバイタルサインを検出および／または監視できる電子機器が中に組み込まれた少なくとも１つの腰部支持デバイスを含むシステムである。電子機器は、そのようなバイタルサイン（またはデータ）を記録、表示、および／または伝える方法を有し得る。
【００１６】
上記は、以下の本発明の詳細な説明がより良く理解され得るように、本発明の特徴および技術的利点をかなり幅広く概略的に示したものである。本発明の追加的な特徴および利点は本明細書において説明される。本明細書において開示されるいずれの概念および特定の実施形態も、修正のための基礎または本発明の同じ目的を実施するための他の構造を設計するための基礎として容易に用いられ得ることが当業者には理解されなければならない。また、そのような均等な構造は、添付の特許請求の範囲に定められた本発明の趣旨および範囲から逸脱しないということも当業者であれば認めるはずである。本発明のさらなる目的および利点と共に、構成および操作方法の両方に関する本発明の特徴であると考えられる新規な特徴は、添付の図面と併せて検討されると、以下の説明からより良く理解される。しかしながら、本明細書におけるいずれの説明、図、例なども図示および説明のみを目的として提供され、本発明の限界を定めることを意図されたものでは決してないことを明確に理解されたい。
【００１７】
以下の添付図を参照して、本明細書において説明された非限定的な例示的実施形態。
【図面の簡単な説明】
【００１８】
【図１Ａ−１Ｆ】図１Ａおよび図１Ｂは本明細書において提供される例示的腰部支持デバイス２０の正面／前面斜視図を示す。図１Ｃは腰部支持デバイス２０の正面／前面図である。図１Ｄは、図１Ａ〜１Ｃの腰部支持デバイスの側面図である。図１Ｅは、図１Ａ〜１Ｃの腰部支持デバイスの上面図である。図１Ｆは、例示的腰部デバイスの斜視図を示す。
【図２】図１Ａ〜１Ｅの非限定的な例示的腰部支持デバイス２０のコンポーネントの分解図を示す。
【図３Ａ−３Ｃ】図１Ａ〜２の腰部支持デバイスの生地の層１を後面図（図３Ａ）から示す。図３Ｂは層１の側面図を示す。図３Ｃは例示的層１の斜視図を示す。
【図４Ａ−４Ｃ】図１Ａ〜２の腰部デバイスの（図２の分解図からの）第２層を示す。特に、図４Ａは詰め物層２を示す。図４Ｂは詰め物層２の断面を示す。図４Ｃは例示的詰め物２の斜視図を示す。
【図５Ａ−５Ｃ】分解図（図２参照）において図１Ａ〜２の腰部支持デバイスの隣にある、いくつかの翼状部４のうちの１つ（例えば、それぞれ正面および側部斜視図からのメッシュ翼状部）を示す。図５Ｃは例示的翼状部４の斜視図を示す。
【図６Ａ−６Ｃ】正面および側面図（それぞれ図６Ａおよび６Ｂ）の両方からの、複数のリブ５を上に備えた図５Ａの翼状部４を示す。別の翼状部４を上に加える前のリブ５を備えた図示の翼状部４。図６Ｃは、例示的翼状部リブ５の斜視図を示す。
【図７Ａ−７Ｄ】図１Ａ〜２の腰部デバイスの非限定的な実施形態による例示的コルセット滑車システムアセンブリを示す。特に、図７Ａは、装具の材料に包含されることになるコルセット滑車システムアセンブリの例を示し（正面図から）、図７Ｂは上面図から、および図７Ｃは右側面図から示す。図７Ｄは例示的コルセットサブアセンブリ６の斜視図を示す。
【図８Ａ−８Ｂ】本明細書において図７Ａ〜７Ｃおよび他の図に示される、コルセット滑車システムアセンブリを分解図でさらに示す。図８Ｂは例示的コルセットアセンブリの斜視図を示す。
【図９Ａ−９Ｃ】とりわけ図８Ａによるコルセットアセンブリのコルセット生地２３の正面図および側面図を示す。図９Ｃは例示的コルセット生地２３の斜視図を示す。
【図１０Ａ−１０Ｃ】とりわけ図８Ａによるコルセットアセンブリのコルセット生地２４の正面図および側面図を示す。図１０Ｃは、例示的コルセット生地２４の斜視図を示す。
【図１１Ａ−１１Ｃ】図１１Ａおよび図１１Ｂは、とりわけ図８Ａによるコルセットアセンブリの複数の斜めのコルセット生地部分の１つの１つの正面図および側面図を示す。図１１Ｃは例示的コルセット生地２２の斜視図を示す。
【図１２Ａ−１２Ｃ】図１２Ａおよび図１２Ｂはコルセットアセンブリ、特に、斜線領域に沿った生地同士の縫い目を示す。図１２Ｃは、コルセット生地構成の例示的右側アセンブリの斜視図を示す。
【図１３Ａ−１３Ｃ】図１３Ａおよび１３Ｂはコルセットアセンブリ、特に、斜線領域に沿った生地同士の縫い目を示す。図１３Ｃは、コルセット生地構成の例示的左側アセンブリの斜視図を示す。
【図１４Ａ−１４Ｃ】図１４Ａおよび図１４Ｂはとりわけ図８Ａによるコルセットアセンブリのコルセットボーンの正面図および側面図を示す。図１４Ｃは例示的コルセットボーン２５の斜視図を示す。
【図１５Ａ−１５Ｃ】図１５Ａ〜図１５Ｃはとりわけ図８Ａによるコルセットアセンブリのクリップのそれぞれ正面図、上面図および側面図を示す。図１５Ｃは例示的クリップ２１の斜視図を示す。
【図１６Ａ−１６Ｂ】図１６Ａは、図１Ａおよび２の腰部デバイスの非限定的な実施形態による翼状部アセンブリ分解正面斜視図を示す。図１６Ｂは、例示的翼状部アセンブリの斜視図を示す。「青色翼状部」と表示されるが、本明細書において指示される色のいずれも、限定または拘束することを意味するものではなく、さらなる例示的実施形態は他の色も含むことに留意されたい。
【図１７Ａ−１７Ｃ】図１７Ａおよび１７Ｂは例えば図１６Ａからの翼状部８のうちの１つの、それぞれ正面図および側面図を示す。図１７Ｃは例示的翼状部の斜視図を示す。
【図１８Ａ−１８Ｃ】図１８Ａ、図１８Ｂ、および図１８Ｃは、図１６Ａに示される翼状部８の間に配置された中心生地１０を、それぞれ正面図、上面図および側面図で示す。図１８Ｃは、例示的中心生地１０の斜視図を示す。
【図１９Ａ−１９Ｄ】図１９Ａ、図１９Ｂ、および図１９Ｃは、配置された図１６Ａのスリットボーン７をそれぞれ正面図、上面図および側面図で示す。図１９Ｄは例示的スリットボーン７の斜視図を示す。
【図２０】層１１〜１７を有する１つまたは２つのアームと、図１Ａおよび２以降のデバイスに従ってアームを第２アームへ取り付け可能とするための取付具１８との例示的実施形態の分解図を示す。
【図２１Ａ−２１Ｄ】図２１Ａ、図２１Ｂ、図２１Ｃは、翼状部を腹部の周りの所望の位置に固定するために、一方の翼状部を他方の翼状部へ取り付け得る翼状部締結具部分３（例えば、ベルクロ（登録商標））を示す。図２１Ｄは、例示的翼状部ベルクロ（登録商標）の斜視図を示す。
【図２２Ａ−２２Ｄ】図２２Ａ、図２２Ｂ、図２２Ｃは、図１Ａ〜２のデバイスのアーム１７を正面図、上面図および側面図で示す。図２２Ｄは、例示的アームテンプレートの斜視図を示す。
【図２３Ａ−２３Ｃ】図２３Ａ、図２３Ｂ、および図２３Ｃは、図２０に示される各アームのコンポーネントである弾性アームストラップ１６の正面図、上面図および側面図を示す。図２３Ｃは例示的アームストラップの斜視図を示す。
【図２４Ａ−２４Ｂ】図２４は、アセンブリのために構成された例示的翼状部４（「黒色メッシュ翼状部」というタイトルであるが黒色にもメッシュにも限定されない）を示す。特に、これは、アームストラップ１６（図示せず）が、ダイアグラムの斜線領域へ縫い付けられる前に、透明の「青色四角形」（この色または任意の色に必ずしも限定されない）を通るよう引かれなければならないように、構成される。「青色」四角形およびスリットは透明であるとともに、参照のために翼状部４の中央に位置する。これは、装具を組み立てているときにアームストラップを接続する）。図２４Ａは、装具を組み上げるときにアームをどのように組み立てるかの実施形態を詳細に示す、すなわち、アームを、縫い付ける前に青色四角形スリット穴を通るように引くことが必要であり、その理由は一旦縫い付けられるとアームを通すことは不可能であるからである。図２４Ｂは、青色翼状部アセンブリを備えた例示的アームストラップの斜視図を示す。
【図２５Ａ−２５Ｄ】図２５Ａ、図２５Ｂ、および図２５Ｃは、図２０に示される、本発明の非限定的な例示的実施形態によるアームのアームボーンコンポーネントの正面図、上面図および側面図を示す。図２５Ｄは、例示的アームボーン１４の斜視図を示す。
【図２６Ａ−２６Ｄ】図２６Ａ、図２６Ｂ、および図２６Ｃは、本発明のアームの第２アームボーンの正面図、上面図および側面図を示す。図２６Ｄは例示的アームボーン１５の斜視図を示す。
【図２７Ａ−２７Ｄ】図２７Ａ〜２７Ｃは、黒色メッシュアーム１３の正面図、上面図および側面図を、図示のアームボーン１４および１５の相対的な配置と共に示す。図２７Ｄは、メッシュアームにおける例示的なアームボーンの配置の斜視図を示す。
【図２８Ａ−２８Ｄ】図２８Ａ、図２８Ｂ、および図２８Ｃは、アームを腹部の周りに固定するために一方のアームを他方のアームへ取り付けることができるアーム締結具部分１８（例えば、ベルクロ（登録商標））を示す。図２８Ｄは、例示的アームベルクロ（登録商標）の斜視図を示す。
【図２９−３４】例えば産後または他の妊娠以外の使用の間に、ユーザにより図１以降のデバイスへ追加され得るかそれから除去され得る着脱可能な、詰め物入りであるが剛性の、前方および後方パネルを示す。
【図２９】非限定的な例示的実施形態による、着脱可能な、詰め物入りであるが剛性の後方パネルの正面図を示す。
【図３０】図２９の着脱可能な詰め物入り後方パネルの背面図を示す。
【図３１】非限定的な例示的実施形態による、着脱可能な、詰め物入りであるが剛性の冠状サイドパネルの正面図を示す。
【図３２】図３１の着脱可能な冠状サイドパネルの背面図を示す。
【図３３】非限定的な例示的実施形態による、着脱可能な、詰め物入りであるが剛性の、前方パネルの正面図を示す。
【図３４】図３０３の着脱可能な前方パネルの背面図を示す。
【図３５−４０】図１以降のデバイスの例示的実施形態を示すとともに、非限定的な例により、様々なユーザにより使用中のデバイスを示す。
【図３５】非限定的な例示的実施形態による腰部支持デバイスの一部の近接撮影の写真の図を示す。特に、図示されているのは、支持デバイスの翼状部におけるスリットから出るアームである。
【図３６】本発明の非限定的な例示的実施形態による腰部支持デバイスの一方側の写真を示す。図３６に示されるとおり、アームが対応する翼状部におけるスリットから出る。
【図３７】非限定的な例示的実施形態による腰部支持デバイスの下側の中間部分の写真を示す。
【図３８】妊娠しているユーザに付けられた使用中の本発明によるデバイスを示す。図示の実施形態において、翼状部は、第１に、腹部の上に付けられるとともにシング（ｓｉｎｇ）締結具で互いに取り付けられ、アームは翼状部の上に付けられるとともに位置付けられ、アーム締結具で互いに取り付けられる。
【図３９】図３８とは異なる妊娠しているユーザに付けられた使用中の本発明によるデバイスを示す。この実施形態において、翼状部は腹部の底部に向かって付けられるとともに互いに取り付けられ、アームは腹部の頂部の上に位置付けられるとともに、その位置においてアーム締結具で互いに取り付けられる。
【図４０】妊娠しているユーザに付けられた使用中の本発明によるデバイスを示す。図示の実施形態において、翼状部は第１に腹部の上に付けられるとともに互いに取り付けられ、アームは翼状部の少なくとも幾分上に付けられるとともに位置付けられ、翼状部の上で、アーム締結具で互いに取り付けられる。
【図４１】非限定的な例示的実施形態による後方パネルの前を示す。
【図４２】非限定的な例示的実施形態による、本発明のデバイスのアームに取り付けられた前方パネルを示す。
【図４３】非限定的な例示的実施形態による、様々なサイズの、本発明の例示的腰部支持デバイスの写真を示す。
【図４４】非限定的な例示的実施形態による前方パネルを示す。
【図４５】非限定的な例示的実施形態による、図４４の前方パネルの反対側を示す。中央の長方形部分は、ベルクロ（登録商標）の一部である。他の例示的実施形態によると、デバイスはループファスナーまたは他の好適な締結具を含み得る。
【図４６Ａ−４６Ｂ】本発明の非限定的な例示的実施形態による後方パネルの前および後ろを示す。
【図４７】１つまたは複数の冠状パネルを有する、本発明による支持デバイス／装具の非限定的な例を示す。特に、図は、個人に使用されている、両側に冠状パネルが挿入された（滑り込んでいる）支持デバイス／装具を示す。
【図４８】本発明の例示的支持デバイスと併せて使用され得る冠状パネルの非限定的な例を示す。
【発明を実施するための形態】
【００１９】
概して、本明細書において提供されるのは、人における背部痛の防止および／または治療のために役立ち得る支持デバイスである。非限定的な例として、本発明の実施形態は、妊娠している人間の女性、または例えば過剰な腹部の重量を有する他の人、または腹水などを有し得る人における背部痛を防止するためのデバイスを含み得る。
【００２０】
本明細書においてさらに提供されるのは、本発明のデバイスを含むキットと、人における背部痛を防ぐおよび／または低減させる方法であって、本発明のデバイスを、それを必要とする人へ付けることを含む方法とである。本発明のデバイスを必要とする人には、例えば、妊娠している人間の女性、腹水を有する人、および／または腹部領域の周りに過剰な重量または体積を有する人を含み得る。
【００２１】
例示的実施形態の追加的な態様、利点および／または他の特徴は、添付図面と併せて以下の詳細な説明を考慮すると明らかになるだろう。本明細書において提供された説明された実施形態は、単に例示および説明のためのものであり、限定するものではないということは、当業者には明らかであるはずである。その修正形態の数多くの実施形態が、この開示およびその均等物の範囲内にあると想定される。
【００２２】
この明細書において言及されるいずれの参考文献も、本発明が関連する当業者のレベルを示す。本明細書におけるいずれの参考文献も、各々が、その全体が参照により組み込まれたと具体的にかつ個別的に示されたのと同程度、参照により組み込まれる。
【００２３】
別段の注記がない限り、専門用語は従来の用法に従って使用される。
【００２４】
本明細書で使用される場合、「ａ」または「ａｎ」は、１つまたは複数を意味し得る。同様に、本明細書で特許請求の範囲において使用されるとおり、「含む」という用語と併せて使用される場合、「ａ」または「ａｎ」という用語は、１つまたは２つ以上を意味し得る。本明細書で使用される場合、「別の」は、少なくとも第２または第３以上を意味し得る。さらに、文脈から求められていない限り、単数の用語は複数のものを含み、複数の用語は単数のものを含む。
【００２５】
本明細書において提供されるのは、調整可能な腰部支持デバイスである。例示的実施形態は、追加的な支持を提供するために１つまたは複数の着脱可能な詰め物入りパネルを含み得る腰部支持デバイスを含む。特に、本明細書において提供されるのは、翼状部がユーザの腹部を横切って互いに締結することを可能にする翼状部締結具を有する少なくとも２つの翼状部と、弾性コルセットアセンブリにより互いに接続された少なくとも２つのアームとを含む腰部支持デバイスである。弾性コルセットアセンブリは、ストラップを、過張力を防ぎつつ、適切な張力および位置となるように調整可能にするように構成されてもよい。アームは翼状部におけるスリットから出る。アームは、アームが、ユーザの腹部を横切って、腹部の上で、または下で互いに締結可能とするためのアーム締結具を有する。
【００２６】
非限定的な例示的実施形態によると、所望の場合に追加的に支持するための１つまたは複数の着脱可能な詰め物入りパネルを任意選択的に含み得る調整可能な腰部支持デバイスが提供される。図１Ａ〜２８Ｃは、本発明の調整可能な腰部支持体の非限定的な例示的実施形態の様々な図を、それに加えられ得る任意選択のモジュール式詰め物入りパネルを示すことなく、示す。
【００２７】
図２９〜３４、４１〜４２および４４〜４６は、例示的な着脱可能な詰め物入りパネルを示す。図３５〜４０および４３は、使用中のデバイスの写真を含む、本明細書において提供される例示的デバイスの写真である。
【００２８】
図１ＡおよびＩＢは、本明細書において提供される例示的腰部支持デバイス２０の正面／前面斜視図を示す。これらの図は、とりわけ、１つまたは複数の材料部分１０により間を接続される、デバイスの第１および第２、右および左翼状部８を示す。生地部分１０は、例えばライクラおよび綿を含む様々な材料を含み得る。
【００２９】
図示のデバイスは、デバイスの両側の翼状部におけるスリットから突出する第１および第２アーム１７を示す。図１Ｃは、腰部支持デバイス２０の正面／前面図である。アームは、ユーザの両側で囲むように引かれ得るとともに、ユーザの腹部の周り、上、下で固定され得る。
【００３０】
図２は、本明細書において提供された非限定的な例示的腰部支持デバイス２０のコンポーネントの分解図を示す。特に、図２は、例示的実施形態の翼状部、アーム、コルセット滑車システムアセンブリなどの生地、メッシュ、ライクラ、ボーン、弾性および他のコンポーネントの様々な層を示す。
【００３１】
図示の実施形態は、以下の層を含む：本発明のデバイスの翼状部のベース層である第１綿層、層１の底面は、デバイスをユーザへ取り付けたときにユーザに触れるデバイスの部分である。次に、詰め物層２が提供される。次は、例えば、間に翼状部リブ５を備えた４つのメッシュ翼状部４を有する翼状部リブアセンブリである。アーム（層１１〜１７）の端部へ取り付けられるコルセット滑車システムアセンブリ６が提供される。アームは、翼状部におけるスリットを通じて供給される。
【００３２】
図３Ａおよび３Ｂは、生地（例えば、綿）の層１を図１Ａ〜２の腰部支持デバイスの後面図（図３Ａ）で示す。図３Ｂは層１の側面図を示す。
【００３３】
腰部デバイスの（図２の分解図の）第２詰め物層２が図４Ａに示される。詰め物層は、例えば綿でできていてもよく、生地層１と本質的に同じサイズおよび形状になるように形成されていてもよく、または、そのような生地層１よりも小さくなるように作られてもよい。図４Ｂは詰め物層２の断面を示す。代替的実施形態において、詰め物２は、例えば、より厚い層１（所望される場合）の方を好んで取り除かれてもよい。または、他の実施形態によると、追加的な詰め物層が加えられてもよい。
【００３４】
メッシュ翼状部４が図５Ａおよび５Ｂに示される。本発明のデバイスは、例えば、デバイスの両側の２つを含む、いくつかのメッシュ翼状部４を含む。メッシュ翼状部４は、本質的に、詰め物および翼状部の詰め物２および／または層１に合致するサイズおよび形状で構成され得る。
【００３５】
翼状部はまた、デバイスの左および右側の各々の対応する翼状部のセット間にリブまたはボーン材料を受けるように構成される。すなわち、分解図（図２）に示されるとおり、デバイスの右側は右翼状部アセンブリを形成するために、翼状部４、リブ５、翼状部４の層のセットを含むことができ、また、デバイスの左側は左翼状部アセンブリを形成するために、翼状部４、リブ５、翼状部４の層のセットを含むことができる。
【００３６】
図６Ａおよび６Ｂは、対応する第２翼状部４が上部にない、上に複数のリブ５を備えた翼状部４の１つを示す。リブは、例えば、翼状部４の長さに対して（図６Ａに示されるとおり）本質的に直交してもよく、または、リブは、所望の支持を提供するのに適切な別の構成であってもよい。非限定的な例として、リブは（図６Ａに示されるとおり）互いに実質的に平行であってもよく、または、それらは互いに対して異なる角度をなしていてもよく、それらは任意選択的に互いに交差してもよい。
【００３７】
本発明のデバイスは翼状部におけるスリットから出るアームであって、一緒に留められるとともに、アームが接続されるコルセット滑車システムアセンブリ（またはサブアセンブリ）の使用を通じて調整可能とされるアームを含む。ユーザは、自身の腹部の上または周りに取り付けるためにアームを引くことができ、アームが互いに取り付けられると、デバイスがユーザへ十分な支持を提供するように、アームおよびコルセットアセンブリは弾性および張力を提供する。
【００３８】
例えば図１および２に例が示された、本発明の支持デバイス全体の中に包含されるコルセット滑車アセンブリ（またはサブアセンブリ）の非限定的な例が、図７Ａに示される。コルセットアセンブリは、とりわけ、例えば重なり合う「Ｖ」形態で形成され得るが、他の形態または構成も想定される複数片のコルセット生地２２を含む。コルセットアセンブリはまた、アームを接続し、きつく締めることを可能にし、デバイスの使用時にアームを固定するためのクリップ２１または他の締結具を含み得る。コルセットアセンブリはまた、コルセットアセンブリの両側にコルセットボーン２５を含み得る。クリップは、例えばプラスチックまたは金属で作られてもよいが、任意の好適な材料であってよい。同様に、コルセットボーン２５は、ｒｉｇｉｌｅｎｅボーンなどの、コルセットアセンブリの形状、剛性および支持を維持するのを支援し得る任意の好適な材料から形成されてもよい。アームを調整可能な方式で取り付けるという目標を達成する限り、クリップは図示の構成と異なってもよい。
【００３９】
図７Ａのコルセット滑車システムアセンブリは、図８に分解図でさらに示される。図８Ａに示されるとおり、コルセットアセンブリは、互いに重なる複数片の生地２２、２３、および２４を有してもよい。生地は、例えば、弾性バンドまたは他のエラストマーのまたは伸縮性のある材料で形成されてもよい。弾性生地は、例えば、図示のとおり互いに重なる２つの生地構造になるように形成されてもよい。クリップは、それらがコルセットアセンブリをアームに取り付けられるように構成されてもよい。ボーンは支持のためのサイズ  形状および配置で構成される。生地構造は、例えば、各々「Ｖ」形状を形成する２つの斜めの生地片、および、コルセットアセンブリを一緒に留めることをさらに支持するとともに、デバイスが使用されるときにさらなる支持を提供する第２生地片（２３および２４）を含み得る。図８によるコルセットアセンブリのコルセット生地２３および２４は、図９Ａおよび１０Ａに示される。図１１Ａは、とりわけ図８Ａによるコルセットアセンブリの斜めのコルセット生地部分を示す。非限定的な実施形態によると、第２コルセット生地（２３または２４）に加えて２つのそのような斜めの部分２２は、本発明のデバイスのコルセットアセンブリにおいて互いに重なる２つの生地構造を形成する。代替的実施形態によると、生地片２２、または片２２および２３、または片２２および２４の１つまたは複数は、縫い合わされたか他の方法で互いに取り付けられた別個の生地片から形成されるというよりむしろ、一片の生地から形成されてもよい。
【００４０】
図１２Ａおよび１２Ｂはさらに、非限定的な例示的実施形態によるコルセットアセンブリの一方側、特に、斜線領域に沿った生地同士の縫い目を示す。図１３Ａおよび１３Ｂはさらに、非限定的な例示的実施形態によるコルセットアセンブリの他方側、特に、斜線領域に沿った生地同士の縫い目を示す。
【００４１】
図１４Ａおよび１４Ｂは、とりわけ図８Ａによるコルセットアセンブリのコルセットボーンを示す。上で示されたとおり、コルセットボーンは両側にあってもよい。上で示されたとおり、正しいボーンは、コルセットアセンブリ６の両側にあってもよく、例えばｒｉｇｉｌｅｎｅボーンでできていてもよい。
【００４２】
図１５Ａ〜１５Ｃは、とりわけ図８Ａによるコルセットアセンブリのクリップの正面図を示す。
【００４３】
図１６Ａは、図１Ａおよび２の腰部デバイスの非限定的な実施形態による翼状部アセンブリの正面斜視分解図を示す。特に、図１６は、第１および第２アームがそれぞれのスリットを通るようにサイズおよび形状が適合されたスリットを含む第１および第２翼状部８を示す。スリットは、例えば、スリットの下側で、スリットボーンで強化されてもよい。図１６Ａはまた、第１および第２翼状部が１つまたは複数の生地部分１０により取り付けられてもよいことを示す。図１４に示される非限定的な例によると、翼状部８同士は綿中心生地１０で取り付けられてもよい。１片または複数片の生地が存在してもよく、デバイスは図示の構成に限定されない。翼状部８は例えば、快適さという点で、フリースでできていてもよいが、他の材料も当然想定されるとともに本明細書に含まれる。
【００４４】
例えば図１６の翼状部８の１つが図１７Ａに示され、図１７Ａはそれぞれのアームが通り得るスリットを示す。図１８Ａは一片の生地１０を示し、これは翼状部８間の一片の生地である。複数片の生地１０が使用されてもよい。この生地は例えば綿でできていてもよい。
【００４５】
図１９Ａは、例えばｒｉｇｉｌｅｎｅボーンまたは他の好適な材料でできていてもよいスリットボーン７を示す。
【００４６】
例えば図２０の分解図に示されるとおり、本発明のデバイスのアームは多くの異なる層から形成され得る。非限定的な例として、本発明のデバイスのアームは、例えば、１つまたは複数の綿製アーム１１、１つまたは複数のアーム詰め物１２層、１つまたは複数のメッシュアーム層１３、アームボーン１４および１５、弾性であってもよいアームストラップ１６、フリースアーム１７および（または他の締結具）を含み得る。１つまたは複数の綿層１１、１つまたは複数の詰め物層１２、１つまたは複数のメッシュアーム層１３（２つの層が示されている）、アームボーンまたはボーン層（１４および１５）ならびに弾性アームストラップ１６。
【００４７】
本明細書において説明されるとおり、（図２０に示されるベルクロ（登録商標）である）アーム取付具１８は、当業者に公知の生地のための任意の着脱可能または取り外し可能な取付具により置換され得る。アーム１７は、支持デバイスの使用中、クリップ、スナップ、フック、ベルクロ（登録商標）および／またはジッパーを含むがこれらに限られない、アーム１７の一方または両方にある取付具により互いに取り付け可能であり得る。ベルクロ（登録商標）（フックアンドループファスナー）の場合、ベルクロ（登録商標）は、材料としてアーム１７の一方または両方に取り付けられてもよい。例示的実施形態において、ベルクロ（登録商標）のフック部分は、アームの一方の端部付近に取り付けられ（例えば縫い付けられるか糊付けされ）、ベルクロ（登録商標）のループ部分は他のアーム１７の端部付近に取り付けられる。
【００４８】
アーム１７が、フック部分が接触するとくっつく材料でできている場合、一方のアームのみが、それ（フック部分）に取り付けられるベルクロ（登録商標）を有することも可能である。
【００４９】
例えば、図１および２において数字１７で表示されているが、アームは、図２および２０の分解図において定められたものなど複数の層（例えば１１〜１７）およびコンポーネントを含む。
【００５０】
アームは、例えばフリースでできていてもよい外部層１７を含む。当業者であれば、層の各々について異なる材料が使用されてもよいことが分かるだろう。例えば、綿層および詰め物は、当業者には明らかであろうように、好ましくは、快適さ、クッション性、通気性および／または他の有利な特徴を提供し得る、他の好適な材料に置き換えられ得る。
【００５１】
図２３Ｃは、各アームのコンポーネントである弾性アームストラップ１６を示す。アームストラップは、ユーザがストラップおよびデバイス全体をきつく締めすぎること（これは、デバイスの妊産婦のための使用において特に問題となる）を防ぐことから、ユーザの快適さおよび安全のためのコンポーネントである。本発明のデバイスは、不快および／または拘束になる程度まで締められ過ぎるべきではない。
【００５２】
アームは、例えば図２５Ａ〜２７Ｃにおいて示された複数のボーンを有してもよい。図２５Ａ〜Ｄは第１の例示的ボーン１４を示す。図２６Ａ〜Ｄは第２の例示的ボーン１５を示す。図２７Ａ〜Ｄは、そのようなボーンの、メッシュアーム１３に対する相対的な配置の例を示す。
【００５３】
ボーン層は、例えば、ｒｉｇｉｌｅｎｅボーン、金属、プラスチック、または必要な支持および剛性および形状を維持する特徴を提供し得る他の材料でできていてもよい。メッシュ層は呼吸のためであるとともに、当該技術分野において公知の任意の好適なタイプのメッシュを含み得る。しかしながら、他の通気性のある材料も想定される。
【００５４】
図２８Ａは、アームをユーザの腹部のまわり、上および／または下に固定するために一方のアームを他方のアームへ取り付けることができる、アーム取付部分１８（または「アーム締結具」）を示す。アーム取付具１８はフックアンドループファスナーとして図示されているが、例えば、（例えば図２、１９、および２８Ａにおける）いくぶん半円形状のベルクロ（登録商標）、他の取付具および／または形状も想定されるとともに使用されてもよい。本質的に半円の形状は、第１および第２アームを互いに確実に取り付けるためにアームの端部に概ね対応するように、図示の実施形態のために選択された。締結具は、例えば、永続的または半永続的であり得る縫い付けまたは接着または他の取付具によりアームに取り付けられてもよい。特に、非限定的な例示的実施形態によると、装具を身に着け、アームをユーザの腹部に対して所望の位置の周りに引くと、一方のアームが他方に重なり、フックアンドループ部分が、接触時に互いに対して取り付けられるように、少なくとも部分的に重なり、したがってユーザの腹部の所望の部分の上にアームを固定するように、ベルクロ（登録商標）のフック部分は第１アームの一端の前または後ろに取り付けられてもよく、ベルクロ（登録商標）のループ部分は第２アームの反対側（前または後ろ）に取り付けられてもよい。
【００５５】
図２１Ａは、翼状部を腹部の周り、上または下の所望の位置に固定するために、一方の翼状部を他方の翼状部へ取り付けることができる翼状部締結具部分３（または「翼状部締結具」）を示す。翼状部締結具３は、（例えば図２において）いくぶん半円形状のフックアンドループファスナー（例えば、ベルクロ（登録商標））として図示されるが、他の取付具および／または形状も想定されるとともに使用されてもよい。本質的に半円の形状は、第１および第２翼状部を互いに確実に取り付けるために翼状部の端部に概ね対応するように図示の実施形態のために選択された。締結具は、例えば、永続的または半永続的であり得る縫い付けまたは接着または他の締結デバイスにより、翼状部へ取り付けられ得る。特に、非限定的な例示的実施形態によると、装具を身に着け、翼状部をユーザの腹部の所望の位置の周りで引くと、一方の翼状部が他方に重なり、フックアンドループ部分が、接触時に互いに対して取り付けられるように、少なくとも部分的に重なり、したがってユーザの腹部の所望の部分の上に翼状部を固定するように、ベルクロ（登録商標）のフック部分は翼状部の一端の前または後ろに取り付けられてもよく、ベルクロ（登録商標）のループ部分は第２翼状部の反対側（前または後ろ）に取り付けられてもよい。
【００５６】
非限定的な例として、フックアンドループファスナーの「雌」部分は右翼状部および／または右アームの下側に取り付けられてもよく、フックアンドループファスナーの「雄」部分は、ストラップが着用者を横切るように折り曲げられると、「雄」および「雌」部分が互いに接触するとともに、ストラップを所望の場所／適合度に固定する左翼状部および／または左アームの上面に取り付けられてもよい。しかしながら、締結具は様々であってもよいこと、および、フックアンドループファスナーが使用される場合、締結具は逆にされ得る（例えば翼状部の下側に「雄」、翼状部の上部に「雌」など）ことを理解されたい。
【００５７】
デバイスの１つまたは複数の層において、第１および第２翼状部は、連続的な一片の生地であってもよい（例えば、層１および２を参照）。翼状部の他の層は、別々に形成されて互いに接続された第１および第２翼状部を有してもよい（例えば、翼状部４−メッシュを参照）および８（フリース）。第１および第２アームは、連続的な材料である１つまたは複数の部分または層を含んでもよく、別個のメッシュアームおよびボーンなど互いに別個の層を包含してもよいことが想定される。デバイスの組立ての間、複数の層が予め互いに取り付けられていてもよい。例えば図２に示された層は、図示の順序で取り付けられる必要はない。例えば、デバイス全体を組み立てる前に、ストラップ、コルセット滑車システムアセンブリおよび／または翼状部／リブアセンブリなどを別々に組み立ててもよい。
【００５８】
本明細書において装具デバイスの特定の形状およびサイズならびにそのコンポーネントが図示されるが、他の形状およびサイズもまた好適であり得る。例えば、装具は、（身長およびまたは体重が）異なるサイズの人々のために様々なサイズであり得る。装具は、例えば小、中、大、および特大サイズであり得る。非限定的な例として、サイズは、特定の範囲内の腹部サイズのためのものであってもよい。例えば、小サイズは２８．５〜４３．１インチであってもよく、中は３０．４〜４７．１インチであってもよく、大は３３．３〜５２．４インチであってもよく、特大は３６．５〜５７．６インチであってもよい。腹部サイズは、臀部から臍孔への、患者のウエストの円周方向の測定により決定され得る。適切なサイズはまた、ユーザの妊娠がどのくらい進んでいるかを考慮することにより決定され得る。例えば、妊娠の初期である場合、ユーザは、測定が示すものより１サイズ大きい装具を得ることを希望する場合がある。
【００５９】
デバイスはまた、着用者への好適な適合度を提供するための任意の方法で形成され得る。一例として、図ｌＣに示される例示的デバイスは、真っ直ぐではないが、着用者の臀部の位置に対応し得る部分に２つの湾曲したくぼみを有する底部形状を有する。非限定的な実施形態によると、底部形状は、より真っ直ぐでもよく、または、図示のものよりも大きい曲率を有してもよい。
【００６０】
本発明のデバイスは、デバイスへの少なくとも１つの詰め物入りパネルの取付けのために構成された少なくとも１つのパネル締結具も含み得る。非限定的な例示的実施形態によると、パネル締結具は、例えばフックアンドループファスナーの一方側（例えば、ループ）を含み得る。
【００６１】
腰部支持デバイス自体は、前方パネル、後方パネル、および冠状パネルから選択された少なくとも１つの着脱可能な／取り外し可能な詰め物入りパネルをさらに含み得る。
【００６２】
少なくとも１つの着脱可能な詰め物入りパネルは、少なくとも１つのパネル締結具によりデバイスへ取り付けられ得る。すなわち、パネルは、例えば、フックアンドループファスナーの、デバイスの主要部分に含まれる部分と反対側の部分を有し得る。
【００６３】
例示的実施形態によると、少なくとも１つのパネルは、パネルをデバイス上で摺動することによりパネルをデバイスへ取り付けるための開口部を備えて構成され得る。したがって、パネルは、例えばループまたはストラップを有し得る。
【００６４】
図２９〜３４、４１〜４２および４４〜４６は、ユーザにより本発明のデバイスへ追加され得るまたはそこから除去され得る、任意選択的な、着脱可能な、詰め物入りであるが剛性の前方、後方、および冠状パネルの非限定的な例を示す。特に、１つまたは複数のパネルが産後キット、または妊娠以外の用途における使用のために所望され得る。医師の監視の下、妊娠初期の間に１つまたは複数のパネルが使用されてもよいが、妊娠の後期の間にはいかなる場合も取付け可能パネルは使用されてはならない。
【００６５】
図２９は、非限定的な例示的実施形態による着脱可能な詰め物入り後方パネル２６の正面図を示す。図２９に示されるとおり、エッジ２７には、例えばやわらかい泡沫状プラスチックが詰められてもよい。硬質プラスチックの上をやわらかくするために、前２８には発泡体が追加されてもよい。加えて、後方パネルはパネルの通気性を可能にするために複数の穴２９を有してもよい。パネルの例示的実施形態は、パネルの上部が例えば、Ｔ９椎骨に到達するように構成され得る（装具コードＬ０６２７、Ｌ０６３１および／またはＬ０６３７に適合するため）。
【００６６】
図３０は、図２９の着脱可能な詰め物入り後方パネルの背面図を示す。図３０に示されるとおり、後方パネルの後ろは、装具が通るように構成された着脱可能なスリーブ（例えば、布）を備えたベルクロ（登録商標）を含み得る。後方パネルは、例えば、患者のＴ９−Ｓ１から延びるように設計され得る。前方および後方パネルの追加は、有利には、Ｌ０６３１装具コードのガイドラインを満たす。後方パネルはまた、円周方向の冠状および矢状方向支持を可能にするために着脱可能なサイドフランジと組み合わせられることができ、このときアメリカ合衆国において使用されるＬ０６３７装具コードのためのガイドラインを満たし得る。パネルは、例えば、ベルクロ（登録商標）ストリップおよび／または布スリーブ３１でベルクロ（登録商標）ストリップ３０を介して取り付けられ得る。例示的実施形態によると、パネルは、産後または「腹部」が少しでも大きくなる前の妊娠期間のごく初期に厳密には使用されることになる。後方パネルは、布に覆われた枕状詰め物を、患者のＴ９−Ｓ１の腰部領域に当接することになるその前方側に有する。
【００６７】
図３１は、非限定的な例示的実施形態による着脱可能な冠状サイドパネル（前３２）の正面図を示す。図３１はまた、ベルクロ（登録商標）取付具３７の間の滑らかな布層を示す。
【００６８】
図３２は、図３１の着脱可能な冠状サイドパネルの背面図を示す。冠状パネル（後ろ３１）は、快適さのためにかなりの量の追加の枕状詰め物３４で覆われた剛性プラスチック３３を有してもよい。エッジ３６はまた、発泡体状プラスチックカバーと、快適さのための詰め物入りエッジを有する。冠状パネルは、大きい後方Ｔ９−Ｓ１パネルの前方側面へ取り付けられる。取付けは、例えば後方を向くベルクロ（登録商標）３９を介してもよい。
【００６９】
図３３は、非限定的な例示的実施形態による着脱可能な前方パネル４０の正面図を示す。図３３におけるパネルは、詰め物入りエッジ４３、装具へ取り付けるための着脱可能なベルクロ（登録商標）４１を含み、通気性のある布で覆われたプラスチック４２でできている。
【００７０】
図３４は、図３３の着脱可能な前方パネルの背面図を示す。前方パネルは、装具自体に対する着脱可能なベルクロ（登録商標）取付具４１を有してもよく、または、ベルクロ（登録商標）布スリーブを介して取り付けることができる。前方パネルは、布に覆われた枕状詰め物を有してもよい。これは、腹部に置かれるとき後ろに向く。前方パネルは、詰め物入りエッジ４３と追加の詰め物４４とを有する。
【００７１】
図４１〜４２および４４〜４６は、本発明の非限定的な例示的実施形態による詰め物のパネルを示す。
【００７２】
本明細書において検討されたとおり、追加的な詰め物および／または支持体が本出願の支持デバイスへ追加されてもよい。非限定的な例として、着脱可能な詰め物入りパネルがデバイスの後ろ、例えば、図４１および４６に示されるとおり後方パネルまたは、デバイスの前（腹部）部分、例えば、図４２および４４〜４５に示されるとおり前方パネルへ追加されてもよく、これらは例えば、ベルクロ（登録商標）、クリップ、スナップ、ストラップまたは詰め物の除去を許す他のコネクタの１つまたは複数を含み得る取付具などによりデバイスへ着脱可能に取り付けられ得る。したがって、例示的実施形態は１つまたは複数の取付具をさらに含む。さらなる例示的実施形態は１つまたは複数の詰め物入りパネルを含む。
【００７３】
本発明のデバイスは、デバイスのモジュール式性質、ならびに詰め物入りであるが剛性の、前方、後方、および／または冠状パネルの使用を理由として、それらが妊娠期間および産後全体を通じて用いることができる唯一の公知の妊産婦用装具であるという点で有利である。加えて、本発明のデバイスは、過張力保護を有する固有の滑車システムを有する固有の滑車システムも有する。特に、張力アームの弾性は、過張力保護およびまた、アームが妊婦の腹部上に複数の構成で位置付けられることを提供する。
【００７４】
本明細書において示されたとおり、本発明のデバイスを備えてまたは本発明のデバイスに追加して、任意選択の前方、後方、および／または冠状パネルが含まれ得る。これは、妊娠期間および産後の全体にわたって使用され得るようにモジュール式である唯一の装具である。固有の滑車／弾性のある過張力防止システム、調整可能アーム、および追加の詰め物入りで剛性の前方、後方および／または冠状パネルの組合せがこのモジュール性を可能にする。
【００７５】
任意選択の詰め物入りパネルは、本発明のデバイスの固有の滑車および張力システムおよび着脱可能なパネルの使用により、妊娠期間のごく初期および産後における本発明のデバイスの背部ストレスの減少を可能にする。市販の全ての他の装具は、妊婦の体重が増加した後に腹部ストレスを低減させることに焦点を当てている。
【００７６】
パネルは、例えば、主に妊娠期間のごく初期に、妊婦が腹部を形成するまでおよびまた産後まで、使用され得る詰め物入り後方パネルを含み得る。後方パネルはその材料により限定されない。非限定的な例示的実施形態によると、後方パネルは剛性であるが、デバイスが付けられることになる人の腰部領域に従う材料でできている。例示的パネルは、快適さのために軽量であってもよく、および／または、追加的な安定性のためにより堅いまたは強化された材料であってもよい、１つまたは複数の材料、例えば布材料を含み得る。例えば後方パネルに含まれ得る例示的支持体材料は、同時に支持を維持しつつ快適さおよび通気性を最大化するために、内側に軽量（布）、外側に付けられたメッシュを含み得る。後方パネルは、いくつかの実施形態において、張力に即した形になることを可能にし得る弾性のある繊維ストランドを材料内に含み得る。パネルの中央領域は、例えばスパンデックス／弾性可撓性領域を相互接続するために、通気性のある布生地でできていてもよい。
【００７７】
後方パネルは、例えば、湾曲部分、角、および／または所望の結果を達成する他の任意の所望の形状を含むことができ、図２９に示される形状に限定されない。加えて、後方パネルのサイズは、デバイスの意図されたユーザのサイズなどを含む様々な要因に基づいて決定され得る。例えば、上で示されたとおり、本発明のデバイスは、例えば、小、中、大もしくは特大のサイズ、または異なるサイズの後方パネルを指示し得る数値的サイズとなるよう形成し得る。
【００７８】
例示的前方パネルは、デバイスの意図された用途に依存して、任意の望ましい材料および／または形状から構成され得る。例えば、正面／前方パネルは、拡張する妊娠期間の腹部を覆うことができるような形状、サイズおよび材料であり得る。ライクラスパンデックス。前方パネルは、最初の数週間以内の妊娠期間の極めて初期にのみだけでなく主に産後にも使用されるべきである。前パネルはまた、デバイスの着用者が、例えばパネルを着用者の腹部の下または上に集め得る、またはパネルまたはその一部をデバイスから取り外し得る（例えば、暑い日に、または女性の腹部がより大きくなるにつれてデバイスを女性の腹部に合わせ易くするために、または衣装についての判断に依存して）ように、１つまたは複数の可動のおよび／または着脱可能な部分を含むことができる。本発明のデバイスに追加され得るか含まれ得る前方パネルの非限定的な例は、図４２、４４および４５に示される。
【００７９】
後方パネルは、例えば実質的に長方形であってもよい。後方パネルは、湾曲部分、角、および／または所望の結果を達成する他の任意の所望の形状を含み得る。加えて、後方パネルのサイズは、デバイスの意図されたユーザのサイズなどを含む様々な要因に基づいて決定され得る。例えば、上で示されたとおり、本発明のデバイスは、例えば、小、中、大および特大（例えば図４３に示すとおり）のサイズ、またはそれに対応する異なるサイズのパネルを指示する数値的サイズになるよう形成され得る。
【００８０】
図４７は、両側に冠状パネルが挿入された（滑り込んだ）、個人において使用中の例示的支持デバイス／装具を示す。そのような冠状支持デバイスの非限定的な例が図４８に示される。図４７および４８に示されるとおり、冠状パネルは一方側または両側に挿入され得る。それらは、空気の流れを提供するためにスリットを含み得る。加えて、パネルは、他のパネルと同様に覆われるとともに詰め物が入れられてもよい。特定の実施形態においては、外側は詰め物入りでなくてもよい。冠状パネルは他のパネルと同様のプラスチックまたは他の材料でできていてもよく、成形可能であり得る。冠状パネルはデバイスがＬ０６３７に適合するように構成され得る。
【００８１】
例示的パネルは、デバイスの意図された使用に依存して任意の望ましい材料および／または形状で構成され得る。例示的実施形態によると、前方、後方、および冠状パネルは、剛性であるが、（例えば、メッシュ布に覆われた枕状材料で）十分に詰め物が入っており、通気性を提供するためにプラスチックに複数の穴を有する。デバイスの着用者が、例えば、パネルを着用者の腹部の下または上に集めることができる、またはパネルまたはその一部をデバイスから取り外すことができるように（例えば、暑い日に、または女性の腹部がより大きくなるにつれてデバイスを女性の腹部に合わせ易くするために、または衣装についての判断に依存して）、前パネルは、１つまたは複数の可動の、および／または着脱可能な部分も有し得る。
【００８２】
本発明のデバイスおよびそのコンポーネントは、任意の所望の色であってもよい。例示的な色が図において定められているが、これらは単に例示的なものであり限定することを意図するものではない。
【００８３】
本発明のデバイスは、帝王切開患者における産後の背部痛を考慮に入れた唯一のデバイスである。帝王切開の切開は下腹部筋を切り開き、患者の体幹の筋肉を著しく弱め、出産後の背部痛を招く。前方および後方パネルは、背部ストレスを減少させるとともに、治るのに帝王切開後６〜１２週間かかる治癒中の筋肉から不当な圧力を取り除く。装具は、帝王切開特許および経膣分娩患者の両方のために、全妊娠期間を通じて、および出産後も補助するように設計される。
【００８４】
これらはまた、非帝王切開患者における産後の背部痛を考慮に入れた唯一の装具でもある。経膣分娩をする妊婦においては、下腹部筋が伸ばされ著しく弱められる。これは改善するのに数週間から数カ月かかる。患者の体幹の筋肉は、その後弱くなり、これは出産後の背部痛の原因となり得る。前方および後方パネルは、背部ストレスを減少させるとともに、治るのに数週間から数カ月かかる治癒中の筋肉から不当な圧力を取り除く。したがって、本発明のデバイスは、装具は、帝王切開患者および経膣分娩患者の両方について、妊娠期間の全ての段階および出産後も、支援するように設計されるというものである。前方パネルが設計され、具体的には、枕状詰め物が帝王切開の傷痕への過剰な圧力を防止する。装具パネルは、傷が完全に治るまで使用されるべきではない。
【００８５】
これらの本発明のデバイスはモジュール式であり、例えば、妊娠期間全体にわたっての女性の生体構造の変化により良好に従うために、本明細書において説明されたパネルなどの異なるコンポーネントを、人のサイズが変わると加えるまたは取り去ることを可能にする。他の装具および背部支持体の他の主な懸念は、過張力が妊婦の腹部に対する過剰な圧力を生じ得るというものである。本発明の装具は、妊娠期間の各トリメスターにおいて女性が有する変化全体にわたって生体構造に従うことにより、より体形に合った支持を提供しつつ、これ（過張力）を防ぐために複数の予防手段を組み合わせる。
【００８６】
本発明の支持体の目標は、妊娠期間の各トリメスターを通じて安定を提供することである。最初に、女性の妊娠期間の間に、ストラップは、典型的には腹部（これは通常は第２および第３トリメスターには存在しない）を支持するために不要であるため、第１および場合により第２トリメスターの初期の間は、コルセット（例えば、スパンデックスまたは弾性材料）コンポーネントのみ（ストラップが取り付けられていない）が使用され得る。しかしながら、腹部が妊娠の第２および第３トリメスターを通じて大きくなるにつれ、例えば妊娠期間の末期において、装具が滑り落ちることを回避するために、アームがより高い位置において使用され得る。
【００８７】
本明細書において同様に提供されるのは、人（例えば妊娠している、人間の女性またはデバイスの着用によりもたらされる支持から利益を得ることができる他の人）における背部痛を防ぐまたは治療する方法であって、本明細書において説明されたデバイスを、人がデバイスを着用し得るように、人に付けることを含む方法である。そのようなデバイスの例は、例えば、本明細書において説明されたデバイスを含み得る。
【００８８】
本発明の、人における背部痛を防ぐまたは治療する方法は、本発明の腰部支持デバイスを人へ付けることと、翼状部を互いに締結し、次いでユーザの腹部の周りでアームを互いに締結することによりデバイスを人へ固定することとを含む。
【００８９】
デバイスは、デバイスが付けられた人に対する、締結されたアーム位置が可変であるように構成されてもよい。
【００９０】
例えば、アームが、締結された翼状部の上に少なくとも部分的に置かれるように、互いに締結されるように、アームは人に対して位置付けられてもよい。
【００９１】
他の実施形態によると、アームが上腹部上にあるように、互いに締結されるように、アームは人に対して位置付けられてもよい。
【００９２】
図３５〜４０は、本発明によるデバイスの例示的実施形態の写真を示すとともに、非限定的な例に従って、様々なユーザにより使用中のデバイスを示す。
【００９３】
図３５は、非限定的な例示的実施形態による腰部支持デバイスの一部の近接撮影の写真の図を示す。特に、この近接撮影の図は、支持デバイスの翼状部におけるスリットから出るアームを示す。
【００９４】
図３６は、本発明の非限定的な例示的実施形態による腰部支持デバイスの一方側の写真を示す。図３６に示されるとおり、アームが対応する翼状部におけるスリットから出る。
【００９５】
図３７は、非限定的な例示的実施形態による腰部支持デバイスの下側の中間部分の写真を示す。
【００９６】
図３８は、妊娠しているユーザに付けられた使用中の本発明によるデバイスを示す。図示の実施形態において、翼状部は、第１に、腹部の上に付けられるとともに、ベルクロ（登録商標）により互いに取り付けられる。アームは、少なくとも部分的に翼状部の上に付けられるとともに位置付けられ、同様にベルクロ（登録商標）により互いに取り付けられる。
【００９７】
図３９は、図３８におけるものと異なる妊娠しているユーザに付けられた使用中の本発明によるデバイスを示す。この実施形態において、翼状部は腹部の底部に向かって付けられるとともに、互いに取り付けられ、アームは腹部の上部の上に位置付けられるとともに、その位置において互いに取り付けられる。アームは、例えば妊娠期間後期の間は、腹部の上に位置付けられてもよい。デバイスを、アームが上部腹部に置かれるように位置付けることは、追加的な支持を提供するとともに、装具が腹部の下に滑り落ちすぎることを防ぐ。
【００９８】
図４０は、妊娠しているユーザに付けられた使用中の本発明によるデバイスを示す。図示の実施形態において、翼状部は、第１に、腹部の上に付けられるとともに互いに取り付けられ、アームは、翼状部の少なくとも幾分上に付けられるとともに位置付けられ、互いに取り付けられる。
【００９９】
非限定的な例示的実施形態によると、支持体は特定の期間使用されてもよい。非限定的な例示的実施形態によると、本発明の支持デバイスは、例えば妊娠している人間の女性に、女性の妊娠期間の全体にわたって、例えば、毎日（例えば、１日８〜１０時間、１週間に５〜７日）、毎週（例えば、１日数時間、週に１日または２日）、定期的に（例えば、毎朝もしくは毎晩４時間、または妊娠期間が進むにつれてより長い時間の間）または時折（例えば、１日の一部の間、働いているとき、立っているとき、長時間座っているとき、例えば、コンピュータのところで、長い時間車に乗っているとき、５分を超えて身を乗り出すとき、家事を行うとき、ガーデニングをするとき、背部痛が生じ始めたとき、または他の、人の背中に過剰なストレスがかかるとき）使用されてもよい。本発明の支持および装具デバイスが女性の妊娠期間中に使用される実施形態において、デバイスは、妊娠期間全体にわたって変化する女性の生体構造に自然に形を合せる／従うように調整され得る。
【０１００】
本発明の腰部支持デバイスは、任意選択的に、１つまたは複数の母体のおよび／または胎児のバイタルサインを検出および／または監視できる電子機器を組み込んでいてもよい（例えば、生地に、または生地の層の間に組み込まれる。そのようなバイタルサインの非限定的な例には、胎児の心拍数、母体の心拍数、胎児および母体の呼吸数、胎盤の血流ならびに胎児／母体のＥＫＧを含み得るがこれらに限られない。
【０１０１】
非限定的な例示的実施形態によると、電子機器は、デバイスであって、特定の日に装具が着用された時間の長さ、および／またはデバイスを着用中に着用者が歩いた距離または歩数などを決定し得るタイミングおよび／または距離カウンタ（例えば、歩数計）を含み得るデバイスに組み込まれてもよい。例示的タイマーは、例えば、（推奨着用時間を超えないように）デバイスをどのくらい長く着用しているかをユーザに単に示すために、または着用時間の長さをカウントダウンするために、カウントアップまたはカウントダウンし得る。
【０１０２】
電子機器は、そのようなバイタルサイン（またはデータ）を記録、表示、および／または伝える方法を有してもよい。（例えば、バイタルサイン、タイミングおよび／または距離に関する）データまた算出された情報は、例えばデバイス上のディスプレイを見ることにより、または、例えば、（例えばＢｌｕｅｔｏｏｔｈ（登録商標）または他の有線もしくは無線通信方法を使用して）情報が伝えられた個人用電子デバイス、例えばスマートフォン、フィットネス・トラッカー、もしくは他のデバイス上の、またはデータが伝えられたコンピュータ上の情報を見ることなどにより、着用者または他の人（例えば看護師、医師または家族）へ伝えられてもよい。振動、光、音および情報を伝えるための他の方法などを含む他の通信方法も当該技術分野においては公知である。例えば、胎児または母体のバイタルサインが好ましい範囲内にない場合、音が生成されてもよく、または振動が生成されてもよく、またはメッセージが電子メールまたはテキストにより着用者または医療専門家へ送られてもよい。
【０１０３】
デバイスから集められた未加工または算出されたデータは、ソフトウェアが情報を処理して、バイタルサインが所望の範囲内にあることを確実にするとともに、母親および／または赤ちゃんの潜在的な異常または医学的問題を診断する可能性があり得るように、医療専門家へ直接（追加的な積極的改善措置をせずに）提供されてもよく、またはユーザにより（例えば、例えば病院のＢｌｕｅｔｏｏｔｈ（登録商標）により伝送された電子メールまたはインターネット接続を介して）送信されてもよい。
【０１０４】
さらに提供されるのは、電子機器が中または上に組み込まれた少なくとも１つの腰部支持デバイスを含むシステムである。電子機器は、例えば、上で検討された１つまたは複数の母体および／または胎児のバイタルサインを検出および／または監視することができてもよい。電子機器は、そのようなバイタルサイン（またはデータ）を記録、表示、および／または伝える方法を有していてもよい。システムはまた、腰部支持デバイスと、コード、無線インターネット接続、Ｂｌｕｅｔｏｏｔｈ（登録商標）または他の方法を介して有線または無線で通信できるスマートフォンまたはコンピュータアプリまたはソフトウェアを含み得る。
【０１０５】
本発明の支持デバイスの調整可能性は、妊娠によりもたらされる速やかに変化する生体構造に形がぴたりと合うため、支持体の有効性を最大化する。最終的に、これは脊柱にかかるストレスを低下させ、日常生活の行動の間の姿勢／アライメントを向上させる。
【０１０６】
例示的実施形態によると、デバイスはある人に、その人自身または、別の人の支援を得て付けられ得る。デバイスは、後方パネル（使用される場合）または翼状部の中間部分が人の背中を横切るように位置付けられるように、デバイスを人に位置付けることを含む方法により付けられ得る。このような位置付けは、例えば、デバイスの翼状部が翼状部に重なり合い、翼状部同士をユーザのウエストの周りで互いに取り付けることを含み得る。翼状部は、例えばボタン、ジッパー、ホック、スナップ、フックアンドループ（例えば、ベルクロ（登録商標））、または別の締結具で取り付け可能であり得る。前パネルが存在する場合、前パネルは、例えば、パネルを好ましい位置へ移動させることにより調整可能であってもよい。正しく位置付けられると、着用者の腹部の上の翼状部を閉じてもよい。
【０１０７】
本発明の方法はまた、デバイスのアームが腹部の周り、上、下方に位置付けられるように所望の長さになるまでデバイスのアームを、翼状部におけるスリットを通じてそれらの位置から引くことと、次いでアームを互いに取り付けることとを含んでもよい。
【０１０８】
非限定的な例として、デバイスは、装具の後方部分がユーザの背中を横切るように、デバイスを人に位置付けること、翼状部を人の腹部の上に位置付けるおよび取り付けること、ならびに、エラストマーのコルセットアセンブリを有するアームを、共に腹部を横切って、腹部の上に、腹部の下に所望の位置および張力になるよう位置付けるおよび取り付けることを含む方法により着用者へ付けられてもよい。
【０１０９】
非限定的な例示的実施形態において、翼状部を閉じて位置付ける前にアームを閉じて位置付けることが有利となり得る。
【０１１０】
非限定的な例によると、１つまたは複数のパネルが使用される場合、矯正器具オーブンにおいて剛性側を形成するプラスチックは、展性となるように１５分間加熱されてもよい。パネルが加熱され、展性となると、それは患者の背中に対して位置付けられ得るとともにプラスチックが所望の形状になるように成形されるまで保持され得る。脊柱前湾の張力緩和を達成するために後方パネルを押し出すことが望まれる場合もある。
【０１１１】
非限定的な例によると、１つまたは複数のパネルが使用される場合、パネルの、取付け機構（例えば、ベルクロ（登録商標））を備えた側は、装具へ取り付けられなければならない。図４６にその例が示される大きい後方パネルは、装具の装具の内側正中線部分へ（例えば、生地部分１０に）直接取り付けられ得る。前パネルは任意選択的に、２つの位置の一方または両方において装具デバイスへ取り付けられてもよい。これは主支持ストラップの内側へ直接取り付けられ得る。これはまた、主ストラップが締結された後に調整可能アーム／翼状部の内側へ取り付けられ得る。この位置において、前パネルは調整可能アームと翼状部／ストラップとの間にあることになる。
【０１１２】
適切に調整されると、支持デバイスは、腰椎を引き入れ、脊柱前湾を増すとともに、重心をより自然な位置に置くために機能する。
【０１１３】
本明細書において提供される例示的実施形態は、本明細書において提供される少なくとも１つの腰部支持デバイスとデバイスの使用説明書とを含み得るキットをさらに対象とする。
【０１１４】
そのような説明書は、適切な位置付け、デバイスを人へ付けることおよび／または、適切に適合させること達成するためにデバイスを調整する方法に関する説明書などを含み得る。例示的説明書は、最良の結果を達成するためにいつどのくらいの長さデバイスを着用するのかに関するガイダンスを提供し得る。さらなる例示的説明書は、必要な場合は医師に診てもらうこと、および／または、デバイスの着用に追加された方法により、デバイスを着用していなくても筋肉の安定性を向上させ、体幹および／または背中の筋肉を強化するのを助け、背部痛を防止および／または減らすのを助けるためにユーザが実施し得るエクササイズに関する説明書を提供し得る。さらなる例示的説明書は、デバイスをクリーニングすることについての説明書を含み得る。
【０１１５】
キットはまた、本明細書において定められるとおり、本発明の実施形態によるデバイスと、デバイスへ取り付けられ得る１つまたは複数の着脱可能なパネルとを含んでもよい。
【０１１６】
電子機器が中および／または上に組み込まれた本発明のデバイスを含むキットはまた、ソフトウェア、ソフトウェアコード、デバイスまたは測定もしくは表示もしくはそうでなければ通信データ（例えば、上で検討されたデータのタイプ）、任意の電子機器を充電するためのコード、ならびに／または、データ受信、警告または他の通信のためのフィットネス・トラッカーまたはスマートフォンなどのデバイスを含んでもよい。
【０１１７】
着脱可能な詰め物入りパネルは、前方、後方、および冠状パネルからなる群から選択され得る。
【０１１８】
本発明のキットにおいて、着脱可能な詰め物入りパネルは、装具を、例えば、産後および妊娠していない個人のためのＬ０６２７、Ｌ０６３１および／またはＬ０６３７米国装具コードに適合可能にするパネルから好ましくは選択される。
【０１１９】
翼状部が、人の腹部の上に位置付けられるとともに、締結具により互いに取り付けられた後で、着用者はアームを調整することによりデバイスをさらに固定または調整することができる。アームは、例えば、それぞれのアームを、例えば、前方へ（前へ向かって）手繰り寄せ、これによりアームおよびコルセットを手繰り寄せ、したがって、アームが腹部および背に従うのを助けるために身体の前でアームをきつく締めることにより固定および調整することができる。
【０１２０】
本発明は、例示的実施形態において説明されたが、当業者であれば、本発明の趣旨および範囲から逸脱せずに、様々な修正をなすことができることが分かるだろう。したがって、本明細書における本発明は具体的に説明されたのとは異なるように実施されてもよいことが理解される。したがって、本発明の実施形態は、あらゆる点において、限定するものではなく、説明のためのものとして考えられなければならない。したがって、そのような修正形態は添付の特許請求の範囲によって定義されるとおり、本発明の範囲内にあることが意図される。
【図１Ａ−Ｂ】
2018501937.tif 000003
【図１Ｄ−Ｆ】
2018501937.tif 000004
【図２】
2018501937.tif 000005
【図３Ａ−Ｃ】
2018501937.tif 000006
【図４Ａ−Ｃ】
2018501937.tif 000007
【図５Ａ−Ｃ】
2018501937.tif 000008
【図６Ａ−Ｃ】
2018501937.tif 000009
【図７Ａ−Ｄ】
2018501937.tif 000010
【図８Ａ−Ｂ】
2018501937.tif 000011
【図９Ａ−Ｃ】
2018501937.tif 000012
【図１０Ａ−Ｃ】
2018501937.tif 000013
【図１１Ａ−Ｃ】
2018501937.tif 000014
【図１２Ａ−Ｂ】
2018501937.tif 000015
【図１３Ａ−Ｃ】
2018501937.tif 000016
【図１４Ａ−Ｃ】
2018501937.tif 000017
【図１５Ａ−Ｄ】
2018501937.tif 000018
【図１６Ａ−Ｂ】
2018501937.tif 000019
【図１７Ａ−Ｃ】
2018501937.tif 000020
【図１８Ａ−Ｄ】
2018501937.tif 000021
【図１９Ａ−Ｄ】
2018501937.tif 000022
【図２０】
2018501937.tif 000023
【図２１Ａ−Ｄ】
2018501937.tif 000024
【図２２Ａ−Ｄ】
2018501937.tif 000025
【図２３Ａ−Ｄ】
2018501937.tif 000026
【図２４Ａ−Ｂ】
2018501937.tif 000027
【図２５Ａ−Ｄ】
2018501937.tif 000028
【図２６Ａ−Ｄ】
2018501937.tif 000029
【図２７Ａ−Ｄ】
2018501937.tif 000030
【図２８Ａ−Ｄ】
2018501937.tif 000031
【図２９】
2018501937.tif 000032
【図３０】
2018501937.tif 000033
【図３１】
2018501937.tif 000034
【図３２】
2018501937.tif 000035
【図３３】
2018501937.tif 000036
【図３４】
2018501937.tif 000037
【図３５】
2018501937.tif 000038
【図３６】
2018501937.tif 000039
【図３７】
2018501937.tif 000040
【図３８】
2018501937.tif 000041
【図３９】
2018501937.tif 000042
【図４０】
2018501937.tif 000043
【図４１】
2018501937.tif 000044
【図４２】
2018501937.tif 000045
【図４３】
2018501937.tif 000046
2018501937.tif 000047
2018501937.tif 000048
【図４４】
2018501937.tif 000049
2018501937.tif 000050
2018501937.tif 000051
【図４５】
2018501937.tif 000052
【図４６】
2018501937.tif 000053
【国際調査報告】
2018501937.tif 000054